(57)【要約】【課題】安価で環境への負荷が小さく、液状化を軽減する能力の高い改質地盤およびこれに用いる改質剤を提供する。【解決手段】改質地盤１０は、液状化を軽減する。改質地盤１０は、対象土壌１１とこれに添加される改質剤１２とを含んでいる。対象土壌１１は、改質の対象となる土砂の粒子１３を主成分としている。改質剤１２は、古紙繊維１４を主成分とし、対象土壌１１に添加される。対象土壌１１に添加される改質剤１２の主成分である古紙繊維１４は、土砂の粒子１３の間に複雑に絡み合って存在する。これにより、土砂の粒子１３の間に存在する間隙水１５の圧力が高まると、その過剰間隙水圧は古紙繊維１４を通して解放される。その結果、過剰間隙水圧の蓄積による液状化が抑制される。【選択図】図１
2018204253.tif 000002
【特許請求の範囲】
【請求項１】
地盤の液状化を軽減する改質地盤であって、
改質の対象となる土砂を主成分とする対象土壌と、
古紙繊維を主成分とし、前記対象土壌に添加される改質剤と、
を含む改質地盤。
【請求項２】
古紙繊維を主成分とし、請求項１記載の改質地盤に用いられる改質剤。
【請求項３】
地盤の液状化を軽減する地盤改質方法であって、
改質の対象となる対象土壌を準備する準備工程と、
準備した前記対象土壌に、古紙繊維を主成分とする改質剤を添加する添加工程と、
を含む地盤改質方法。
【発明の詳細な説明】
【技術分野】
【０００１】
本発明は、地盤の液状化を軽減する改質地盤およびこれに用いる改質剤、ならびに地盤改質方法に関する。
【背景技術】
【０００２】
全国各地における地震の頻発にともない、地盤の液状化が大きな問題となっている。特に東北地方太平洋沖地震では、震源に近い東北地方だけでなく、千葉県などの関東地方の沿岸部でも液状化が多発した。このことから、地盤の液状化は、地震が引き起こす災害として大きな社会問題となっている。液状化が発生しやすい地盤は、主に、土砂を構成する粒子間の間隙が地下水によって満たされ、粒径の揃った土砂の粒子が緩く詰まって形成された層といわれている。このような地盤において地震などの強い振動が生じると、土砂の粒子間における間隙水圧が上昇する。そして、この水圧が砂粒子間の摩擦力による噛み合い力を超えると、砂粒子が地下水に浮いたような状態なり、固体状の地盤は液状化する。
【０００３】
そこで、地盤の改質による液状化対策として、例えばＳＣＰ（Sand Compaction Pile）工法が知られている（特許文献１参照）。このＳＣＰ工法は、地盤内にケーシングを打ち込み、このケーシング内に砂を補給しながら砂杭を圧入打設するものである。これにより、地盤の密度が増大し、剪断強度を高めることができる。
【０００４】
しかしながら、ＳＣＰ工法をはじめとする従来の工法は、複雑な工程を必要とすることなく、施工工期の短縮が困難であるという問題がある。また、ＳＣＰ工法以外の工法でも、例えば薬剤や生分解性の乏しい材料を用いているため、環境への負荷が大きいという問題がある。
【先行技術文献】
【特許文献】
【０００５】
【特許文献１】特開２０１４−１０９１７９号公報
【発明の概要】
【発明が解決しようとする課題】
【０００６】
そこで、本発明の目的は、安価で環境への負荷が小さく、液状化を軽減する能力の高い改質地盤およびこれに用いる改質剤を提供することにある。
また、本発明の他の目的は、複雑な工程を招くことなく、安価で環境への負荷が小さく、液状化を軽減する能力の高い地盤改質方法を提供することにある。
【課題を解決するための手段】
【０００７】
本実施形態の改質地盤および改質剤は、古紙繊維を主成分として含んでいる。この改質剤を構成する古紙繊維は、微細な繊維状であり、繊維の一つ一つが非常に細かく、水を吸収すると膨張する性質を有している。改質剤は、古紙繊維を由来とする線状や塊状の古紙繊維を含んでいる。この古紙繊維を主成分とする改質剤を対象土壌に添加することにより、土壌を構成する粒子の間には線状の古紙繊維が複雑に絡まる。また、塊状の古紙繊維は、土壌を構成する粒子や線状の古紙繊維に接着するような形態で存在する。これらにより、改質剤は、土壌を構成する粒子の間に複雑に張り巡らされ、粒子と繊維とが複雑な微細構造を形成する。
【０００８】
地震などにより土壌に振動が加わると、負のダイレイタンシーによって土壌は体積の収縮を生じる。このとき、土壌を構成する粒子間に存在する間隙水は、体積の収縮にともなって圧力が上昇し、過剰間隙水圧が発生する。そして、振動にともなう体積の収縮が継続することにより、過剰間隙水圧は粒子の間に徐々に蓄積する。この過剰間隙水圧の上昇によって剪断強度を失った土壌は、過剰間隙水圧を原因として液状化を生じる。これに対し、本実施形態の改質剤を添加することにより、土壌を構成する粒子の間には古紙繊維が存在する。これにより、土壌を構成する粒子の間には微細な空隙が形成され、体積の収縮にともない生じた過剰間隙水圧は古紙繊維を通して解放される。その結果、改質された土壌は、土壌を構成する粒子間の間隙水圧のピーク値が大きく低下する。このように改質剤に含まれる古紙繊維が間隙水圧の上昇を抑えることにより、液状化を効果的に軽減することができる。
【０００９】
そして、改質剤の主成分を構成する古紙繊維は、その名の通り古紙を由来とすることから極めて安価である。これとともに、古紙繊維は、例えばパルプなどの天然の材料から形成されていることから生分解性が高い。一方、改質剤は生分解性が高いものの、改質剤を含む対象土壌において乾燥と湿潤とが繰り返され、これにともなう風化が進行しても、改質剤を含む対象土壌は徐々に粘性土化する。その結果、改質された対象土壌は、時間の経過とともに粘土化し、液状化に対して耐性の高い土壌に変化する。したがって、安価で環境への負荷を小さくしつつ、液状化を軽減する能力の高めることができる。
【図面の簡単な説明】
【００１０】
【図１】一実施形態による改質地盤を構成する対象土壌および改質剤を示す模式図
【図２】一実施形態による改質地盤に用いる改質剤の外観の写真を示す図
【図３】一実施形態による改質地盤に用いる改質剤を構成する古紙繊維の長さの分布を示す概略図
【図４】一実施形態による改質地盤に用いる改質剤を構成する古紙繊維の幅の分布を示す概略図
【図５】一実施形態による改質地盤を構成する対象土壌および改質剤を示す模式図
【図６】一実施形態による改質地盤を構成する対象土壌の粒子の間に存在する改質剤および間隙水を示す模式図
【図７】一実施形態による改質剤の効果を検証するための実験装置を示す模式図
【図８】実験装置による振動加速度の経時的な変化を示す概略図
【図９】試料の厚さが６ｃｍのとき、一実施形態による改質剤を用いた実験例および比較例における過剰間隙水圧の経時的な変化を示す概略図
【図１０】試料の厚さが９ｃｍのとき、一実施形態による改質剤を用いた実験例および比較例における過剰間隙水圧の経時的な変化を示す概略図
【図１１】資料の厚さが１２ｃｍのとき、一実施形態による改質剤を用いた実験例および比較例における過剰間隙水圧の経時的な変化を示す概略図
【図１２】一実施形態による改質剤の添加割合が過剰間隙水圧の経時的な変化に与える影響を示す概略図
【図１３】一実施形態による改質剤の添加割合が沈下量の変化に与える影響を示す概略図
【発明を実施するための形態】
【００１１】
以下、一実施形態を図面に基づいて説明する。
図１に示すように、一実施形態による改質地盤１０は、対象土壌１１と、改質剤１２とを含んでいる。対象土壌１１は、改質の対象となる土砂の粒子１３を主成分とする一般的な土壌である。この対象土壌１１は、主成分とする土砂の粒子１３に加え、礫、石、岩、粘土など様々な粒径の粒子を含んでいてもよい。対象土壌１１は、地震などによって液状化を招くおそれのある土壌であれば任意に用いることができる。
【００１２】
改質剤１２は、古紙繊維１４を主成分とし、改質の対象となる対象土壌１１に添加される。改質剤１２は、主に線状および塊状の古紙繊維１４で構成されている。改質剤１２は、質量割合で対象土壌１１に対して少なくとも３％〜１０％以上添加されている。一方、改質剤１２の添加割合は、増加するほど改質剤１２の消費量増大を招くことから、費用対効果を勘案して設定することが好ましい。古紙繊維１４の原料となる古紙は、例えば家庭や事業体から、それらで消費された紙をリサイクルなどの目的で回収することによって得られる。回収された古紙は、紙成分以外の不純物を除去した後、破砕される。改質剤１２に用いる古紙繊維１４は、古紙を破砕した際に破砕機などに残留する細かな繊維状のものであり、図２に示すように埃に近似した外観を示す。
【００１３】
改質剤１２に含まれる古紙繊維１４の大きさは、ＳＥＭ画像に基づく画像解析ソフトで測定している。これにより、改質剤１２に含まれる古紙繊維１４の長さは、図３に示すような分布を有している。本実施形態の場合、古紙繊維１４の長さは、主に３０μｍ〜１３５０μｍ程度である。このうち、本実施形態の改質剤１２は、長さが１５０μｍ〜２６９μｍとなる古紙繊維１４を最も多く含んでいる。また、改質剤１２に含まれる古紙繊維１４の幅は、図４に示すような分布を有している。本実施形態の場合、古紙繊維１４の幅は、主に５μｍ〜１００μｍ程度である。このうち、本実施形態の改質剤１２は、幅が１５μｍ〜２４μｍとなる古紙繊維１４を最も多く含んでいる。改質剤１２に含まれる古紙繊維１４は、大部分がアスペクト比の大きな線状の繊維であり、一部に線状の繊維が凝集して形成された塊状の繊維を含んでいる。なお、改質剤１２は、主成分として古紙繊維１４を含んでいればよく、古紙繊維１４に限らず例えば新紙などを由来とする他の繊維を含んでいてもよい。
【００１４】
次に、上記の構成による改質地盤１０の液状化軽減の作用について説明する。
改質剤１２を構成する古紙繊維１４は、微細な繊維状であり、繊維の一つ一つが非常に細かく、水を吸収すると膨張する性質を有している。この古紙繊維１４を主成分とする改質剤１２を対象土壌１１に添加することにより、図１および図５に示すように対象土壌１１を構成する粒子１３の間には線状の古紙繊維１４が蜘蛛の巣のように複雑に絡まる。また、非常に細かい塊状の古紙繊維１４は、対象土壌１１を構成する粒子１３や線状の古紙繊維１４に接着するような形態で存在する。これらにより、改質剤１２は、対象土壌１１を構成する粒子１３の間に複雑に張り巡らされ、図１に示すように粒子１３と古紙繊維１４とが複雑な微細構造を形成する。
【００１５】
一般に、地震などにより土壌に振動が加わると、土壌は非排水的な剪断を繰り返し受ける。このような非排水的な剪断が繰り返されることにより、土壌は負のダイレイタンシーによって体積の収縮を生じる。このとき、土壌を構成する土砂の粒子間に存在する間隙水は、体積の収縮にともなって圧力が上昇する。この間隙水の圧力の上昇によって、過剰な間隙水圧、いわゆる過剰間隙水圧が発生する。そして、振動にともなう体積の収縮が継続することにより、過剰間隙水圧は土壌を構成する粒子の間に徐々に蓄積する。このように過剰間隙水圧が上昇すると、土壌は剪断強度を喪失し、土壌は過剰間隙水圧を原因として液状化を生じる。
【００１６】
これに対し、本実施形態の場合、対象土壌１１に改質剤１２を添加することにより、図６に示すように対象土壌１１を構成する土砂の粒子１３の間には古紙繊維１４が存在する。これにより、対象土壌１１を構成する粒子１３の間には微細な空隙が形成される。このとき、対象土壌１１を構成する粒子１３の間に存在する間隙水１５は、対象土壌１１の体積の収縮にともない圧力が上昇する。本実施形態の場合、この間隙水１５の圧力である過剰間隙水圧は、粒子１３と絡み合った古紙繊維１４を通して解放される。その結果、改質された改質地盤１０は、対象土壌１１を構成する粒子１３間における間隙水圧のピーク値が大きく低下する。このように改質剤１２に含まれる古紙繊維１４が粒子１３の間における間隙水圧の上昇を抑えることにより、液状化が効果的に軽減される。
【００１７】
また、改質剤１２の主成分を構成する古紙繊維１４は、その名の通り古紙を由来とすることから極めて安価である。これとともに、古紙繊維１４は、例えばパルプなどの天然の材料から形成されていることから生分解性が高い。一方、改質剤１２は生分解性が高いものの、改質剤１２を含む対象土壌１１において乾燥と湿潤とが繰り返され、これにともなう風化が進行すると、改質剤１２を含む対象土壌１１は徐々に粘性土化する。つまり、改質剤１２を構成する古紙繊維１４に対し給水と乾燥とが繰り返されたとき、古紙繊維１４は風化によって強度の低下を招くものの、剪断に対する耐性は粘性土化によって大きな低下が生じない。また、改質剤１２を構成する古紙繊維１４は、繰り返される乾燥と湿潤とによって粘着力が増加する。つまり、対象土壌１１と水を含む改質剤１２との混合物は、対象土壌１１を構成する粒子１３と古紙繊維１４とが複雑に絡み合った微細構造を形成する。この微細構造は、乾燥と湿潤との繰り返しによっても破壊されず、古紙繊維１４が変性しながら粒子に定着する。つまり、改質剤１２を含む対象土壌１１は、改質剤１２に含まれる古紙繊維１４によって時間の経過とともに粘性土化していく傾向にある。その結果、改質された対象土壌１１は、時間の経過とともに液状化に対して耐性の高い土壌に変化する。
【００１８】
以下、実施例について詳細に説明する。
（実験条件）
改質剤１２の添加の効果を検証するために以下のような条件で実験を行なった。実験条件について詳細に説明する。実施例では、試料として対象土壌１１を模擬する豊浦標準砂に改質剤１２を混合し、振動実験を行なった。豊浦砂は、有機物を含まない天然のシリカサンドであり、日本標準規格（ＪＩＳ）に規定された砂として、砂に関する種々の実験および検査に用いられる。豊浦砂を構成する粒子は、人工的な破砕が行なわれないため、自然界に存在する形状と近似する。この豊浦砂の粒度分布は、地盤工学会による規格ＪＧＳ００５１に規定されている「地盤材料の工学的分類法」において砂（Ｓ）に分類される。この豊浦砂の粒度分布は、液状化の発生の可能性が非常に高い。
改質剤１２として用いる古紙繊維１４は、その性状が上述の通りであり、説明を省略する。
【００１９】
振動実験を行なうための実験装置２０は、図７に示すように振動台２１を用いて容器２２に収容された試料２３に繰り返し振動を加える。容器２２に入れられた試料２３は、上方に不透水層としての舗装路面を模擬した発泡スチロール板２４が設置される。そして、液状化を促進させるために、この発泡スチロール板２４の上には構造物を模擬した錘２５を設置している。本実施例の実験の場合、錘２５は、８００ｇの板状であり、発泡スチロール板２４の上方に均等に４つ配置している。容器２２の底面には、振動によって発生する過剰間隙水圧を検出するための水圧センサ２６を設置している。また、振動台２１には、振動の加速度を検出するための加速度センサ２７を設置している。これにより、水圧センサ２６は容器２２に収容された試料２３の過剰間隙水圧を検出する。また、加速度センサ２７は、試料２３に加わる加速度を検出する。
【００２０】
実験を行なう場合、まず容器２２の底部に水圧センサ２６が設置される。水圧センサ２６が設置された後、予め設定された一定量の水が容器２２に注入される。容器２２の底２８は不透水層の岩盤層に模擬され、注入された水によって地下水層が模擬される。水が注入された後、液状化層となる対象土壌１１に模擬される試料２３が収容される。試料２３は、対象土壌１１となる豊浦砂に改質剤１２である古紙繊維１４を混合したものと、比較のために改質剤１２を含まない豊浦砂のみのものとを用意する。これらの試料２３は液状化層すなわち対象土壌１１に模擬される。さらに、試料２３の上方に上述のように不透水層として模擬される発泡スチロール板２４、および構造物に模擬される錘２５が設置される。以上の手順で準備した試料２３を含む容器２２は、実験装置２０によって繰り返し振動が加えられる。本実験では、実験装置２０は、試料２３を含む容器２２に対して振動加速度が約１０００ｇａｌとなる振動を１分間加えている。実験装置２０が試料２３に加える振動加速度は、図８に示すように経時的な変化を含んでいる。
【００２１】
（改質剤の添加効果）
上記の実験条件の下、改質剤１２の添加効果について検証した。
対象土壌１１に改質剤１２を加えていない比較例として、液状化層に模擬される試料２３の層の厚さを３種類用意した。具体的には、試料２３の層の厚さが６ｃｍのもの（比較例Ａ１）、９ｃｍのもの（比較例Ａ２）、１２ｃｍのもの（比較例Ａ３）をそれぞれ用意した。同様に、対象土壌１１に改質剤１２を加えた実施例として、液状化層に模擬される試料２３の層の厚さを３種類用意した。具体的には、試料２３の層の厚さが６ｃｍのもの（実施例Ｂ１）、９ｃｍのもの（実施例Ｂ２）１２ｃｍのもの（実施例Ｂ３）をそれぞれ用意した。この場合、試料２３は、全体の質量の３％の改質剤１２を含んでいる。
【００２２】
図９に示すように比較例Ａ１の場合、過剰間隙水圧は、実験開始数秒で徐々に上昇し、１０秒程度で急激に上昇するという挙動を生じる。さらに、比較例Ａ１では、およそ２０秒で過剰間隙水圧がピークに達した後、徐々に低下し、５０秒ほど経過した時点で値が収束し始めるという挙動を示す。また、比較例Ａ１の場合、１分間の振動を終了した後、２〜３秒で過剰間隙水圧値が低下した後、一定値に収束するという挙動を示す。
【００２３】
これに対し、実施例Ｂ１の場合、過剰間隙水圧は、液状化現象が発生しているにも関わらず大きな変化を生じず、低い値で推移するという挙動を示す。また、実施例Ｂ１の過剰間隙水圧値の最大値は、比較例Ａ１と比較して大きく低下することがわかる。
【００２４】
試料２３の厚さを９ｃｍとした図１０および試料２３の厚さを１２ｃｍとした図１１からも明らかなように、この比較例Ａ１〜Ａ３と実施例Ｂ１〜Ｂ３との間の過剰間隙水圧の差は、試料２３の厚さが大きくなるほど小さくなっている。一方、過剰間隙水圧は、試料２３の厚さにかかわらず、比較例Ａ１〜Ａ３よりも実施例Ｂ１〜Ｂ３の方が低下している。これにより、改質剤１２として古紙繊維１４を含む実施例Ｂ１〜Ｂ３は、改質剤１２を含まない比較例Ａ１〜Ａ３に比較して過剰間隙水圧が低下することがわかる。
【００２５】
以上のように、改質剤１２として古紙繊維１４を混合した実施例Ｂ１〜Ｂ３は、過剰間隙水圧のピーク値が低下することがわかる。すなわち、液状化層に相当する試料２３の層の厚さが厚６ｃｍのとき、実施例Ｂ１の過剰間隙水圧は比較例Ａ１の約０．００４〜０．２８倍に低下する。また、試料２３の厚さが９ｃｍのとき、実施例Ｂ２の過剰間隙水圧は比較例Ａ２の約０．４５〜０．６４倍に低下する。さらに、試料２３の厚さが１２ｃｍのとき、実施例Ｂ３の過剰間隙水圧は約０．７１〜０．７５倍に低下する。
【００２６】
試料２３の沈下量については、豊浦砂のみの比較例Ａ１〜Ａ３では試料２３の厚さが増加するほど沈下量が増加する。これに対し、改質剤１２として古紙繊維１４を含む実施例Ｂ１〜Ｂ３は、試料２３の厚さが増加するにともなって変化が小さくなり、収束する傾向にある。これらの結果から、本実施形態の実施例Ｂ１〜Ｂ３は、液状化の現象発現に大きく影響を与える過剰間隙水圧の上昇に対し、古紙繊維１４が大きな抑制効果を発揮することが明らかである。これとともに、液状化が起因して発生する地盤沈下に対し、古紙繊維１４を主成分とする改質剤１２は抑制効果を発揮することがわかる。
【００２７】
（改質剤の添加割合）
次に、改質剤１２の添加割合が与える影響について検証した。
上記の「改質剤の添加効果」を検証する例では、試料２３に加える改質剤１２の割合は質量割合で３％に設定している。ここでは、試料２３に加える改質剤１２の割合を、６％および９％とした場合の効果について検証している。
【００２８】
図１２（Ａ）〜（Ｃ）に示すように、改質剤１２は、その添加割合および試料２３の厚さにかかわらず、過剰間隙水圧の低下に寄与することがわかる。一方、改質剤１２の添加割合は、試料２３の厚さによって影響が異なることもわかる。
【００２９】
また、図１３に示すように、改質剤１２の添加割合が大きくなるにしたがって、液状化層である試料２３の沈下量は減少傾向にあることがわかる。
このように、改質剤１２は、添加割合を変更することにより、過剰間隙水圧の低下および液状化層の沈下量の減少に寄与していることがわかる。
【００３０】
以上説明したように、一実施形態の改質地盤１０および改質剤１２は、古紙繊維１４を主成分として含んでいる。このような改質剤１２を対象土壌１１に添加することにより、対象土壌１１を構成する土砂の粒子１３の間には古紙繊維１４が存在する。これにより、対象土壌１１を構成する土砂の粒子１３の間には微細な空隙が形成され、振動による体積の収縮にともない生じた過剰間隙水圧は古紙繊維１４を通して解放される。その結果、改質された対象土壌１１は、これを構成する土砂の粒子１３間における間隙水圧のピーク値が大きく低下する。このように改質剤１２に含まれる古紙繊維１４が間隙水圧の上昇を抑えることにより、液状化およびこれにともなう沈下を効果的に軽減することができる。
【００３１】
そして、改質剤１２の主成分を構成する古紙繊維１４は、その名の通り古紙を由来とすることから極めて安価である。これとともに、古紙繊維１４は、例えばパルプなどの天然の材料から形成されていることから生分解性が高い。一方、改質剤１２は生分解性が高いものの、改質剤１２を含む対象土壌１１において乾燥と湿潤とが繰り返され、これにともなう風化が進行することにより、改質剤１２を含む対象土壌１１は徐々に粘性土化する。その結果、改質された対象土壌１１は、時間の経過とともに粘土化し、液状化に対して耐性の高い土壌に変化する。したがって、安価で環境への負荷を小さくしつつ、液状化を軽減する能力の高めることができる。
【００３２】
以上説明した本発明は、上記実施形態に限定されるものではなく、その要旨を逸脱しない範囲で種々の実施形態に適用可能である。
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００３３】
図面中、１０は改質地盤、１１は対象土壌、１２は改質剤、１４は古紙繊維、１６は改質剤パイルを示す。
【図１】
2018204253.tif 000003
【図２】
2018204253.tif 000004
【図３】
2018204253.tif 000005
【図４】
2018204253.tif 000006
【図５】
2018204253.tif 000007
【図６】
2018204253.tif 000008
【図７】
2018204253.tif 000009
【図８】
2018204253.tif 000010
【図９】
2018204253.tif 000011
【図１０】
2018204253.tif 000012
【図１１】
2018204253.tif 000013
【図１２】
2018204253.tif 000014
【図１３】
2018204253.tif 000015
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
地盤の液状化を軽減する改質地盤であって、
改質の対象となる土砂を主成分とする対象土壌と、
長さが３０μｍ〜１３５０μｍであり、幅が５μｍ〜１００μｍであり、線状の繊維と線状の繊維が凝集した塊状の繊維を含む古紙繊維を主成分とし、前記対象土壌に添加される改質剤と、
を含む改質地盤。
【請求項２】
長さが３０μｍ〜１３５０μｍであり幅が５μｍ〜１００μｍであり、線状の繊維と線状の繊維が凝集した塊状の繊維を含む古紙繊維を主成分とし、請求項１記載の改質地盤に用いられる改質剤。
【請求項３】
地盤の液状化を軽減する地盤改質方法であって、
改質の対象となる対象土壌を準備する準備工程と、
準備した前記対象土壌に、長さが３０μｍ〜１３５０μｍであり幅が５μｍ〜１００μｍであり、線状の繊維と線状の繊維が凝集した塊状の繊維を含む古紙繊維を主成分とする改質剤を添加する添加工程と、
を含む地盤改質方法。